(57)【特許請求の範囲】
【請求項１】
表示パネルの背面に配置された導光板と、
前記導光板の端部に配置された発光ダイオードと、
商用電源の供給を受けて二次電池を充電する充電回路と、
通電時は商用電源から電力供給を受けて前記発光ダイオードに点灯電力を供給し、停電時は前記二次電池から電力供給を受けて前記発光ダイオードに点灯電力を供給する点灯回路と、
異常の発生を報知する異常発報信号が入力されていない通常時には前記発光ダイオードを一定の光出力で点灯させるように前記点灯回路の出力を制御し、前記異常発報信号が入力されると前記発光ダイオードの光出力を周期的に変化させるように前記点灯回路の出力を制御する制御回路とを備え、
通電中の異常発生時には、通常時の光出力と同等以上の光出力とする明期間と、通常時の光出力よりも暗い光出力とする暗期間が交互に繰り返すように前記制御回路が前記発光ダイオードの光出力を制御し、停電時には、通常時の光出力よりも暗い所定の光出力とする明期間と、明期間よりも光出力がより暗い暗期間が交互に繰り返すように前記制御回路が前記発光ダイオードの光出力を制御しており、
前記制御回路は、停電時における前記発光ダイオードの光出力の最大値を、通常時における前記発光ダイオードの光出力よりも低下させ、且つ、通電中の異常発生時における前記発光ダイオードの光出力の最大値を、通常時における前記発光ダイオードの光出力と同等か若しくはそれ以上とすることを特徴とする非常用照明装置。
【請求項２】
前記異常発報信号は、外部の自動火災報知機から入力される火災報知信号であることを特徴とする請求項１記載の非常用照明装置。
【請求項３】
商用電源の停電を検知すると停電検知信号を発生する停電検知回路を備え、
前記異常発報信号が、前記停電検知回路から前記制御回路に入力される停電検知信号であることを特徴とする請求項１記載の非常用照明装置。
【発明の詳細な説明】
【技術分野】
【０００１】
本発明は、非常用照明装置に関するものである。
【背景技術】
【０００２】
従来、公共の施設において、火災などの非常時に施設内の人を避難させるための非常用照明装置が設置されており（例えば特許文献１参照）、最終避難口の近くに設置される非常用照明装置の場合は、避難者を最終避難口に注目させることができるよう、非常時に光源を点滅させる機能を備えたものが使用されていた。なお現行の日本の消防法においては、最終の避難口の近くに設置された非常用照明装置を点滅させることが可能となっている。
【０００３】
図４は従来の非常用照明装置の回路ブロック図を示し、避難経路を示す図案を表示した表示パネルに光を照射する冷陰極蛍光灯３２を備えるとともに、最終避難口の近くに設置される場合に点滅表示を行うためのキセノンランプ３５を備えており、商用電源ＡＣの通電時には商用電源ＡＣからの電力供給を受けて、誘導灯ブロック３１が冷陰極蛍光灯３２を点灯させるとともに、誘導灯ブロック３１およびキセノン電源ブロック３３がそれぞれ電池３６，３７を充電する。そして、商用電源ＡＣが停電すると、電池３６からの電力供給を受けて、誘導灯ブロック３１が冷陰極蛍光灯３２を点灯させるとともに、キセノン電源ブロック３３が電池３７からの電力供給を受けてキセノン点滅ブロック３４に点灯電力を供給し、キセノン点滅ブロック３４がキセノンランプ３５を点滅させるようになっている。
【０００４】
この非常用照明装置は、表示パネルを照明する光源として冷陰極蛍光灯３２を用いている。しかしながら、冷陰極蛍光灯３２は短い周期での点滅動作に不向きなため、冷陰極蛍光灯３２とは別にキセノンランプ３５を設け、火災報知器などの信号によりキセノンランプ３５を点滅させることによって、最終避難口の近くに設置された非常用照明装置に避難者を注目させていた。
【特許文献１】特開２０００−２２３２８３号公報
【発明の開示】
【発明が解決しようとする課題】
【０００５】
上記構成の非常用照明装置では、常時点灯する冷陰極蛍光灯３２とは別に、火災発生時に点滅動作させるためのキセノンランプ３５を設けており、そのため冷陰極蛍光灯３２を点灯させる誘導灯ブロック３１に加えて、キセノンランプ３５を点滅させるキセノン電源ブロック３３およびキセノン点滅ブロック３４が必要になるから、コストアップになるという問題があった。
【０００６】
本発明は上記問題点に鑑みて為されたものであり、その目的とするところは、視認性を向上させた低コストの非常用照明装置を提供することにある。
【課題を解決するための手段】
【０００７】
上記目的を達成するために、請求項１の発明は、表示パネルの背面に配置された導光板と、導光板の端縁に沿って配置された発光ダイオードからなる発光ダイオードと、商用電源の供給を受けて二次電池を充電する充電回路と、通電時は商用電源から電力供給を受けて発光ダイオードに点灯電力を供給し、停電時は二次電池から電力供給を受けて発光ダイオードに点灯電力を供給する点灯回路と、異常の発生を報知する異常発報信号が入力されていない通常時には発光ダイオードを一定の光出力で点灯させるように点灯回路の出力を制御し、異常発報信号が入力されると発光ダイオードの光出力を周期的に変化させるように点灯回路の出力を制御する制御回路とを備え、通電中の異常発生時には、通常時の光出力と同等以上の光出力とする明期間と、通常時の光出力よりも暗い光出力とする暗期間が交互に繰り返すように制御回路が発光ダイオードの光出力を制御し、停電時には、通常時の光出力よりも暗い所定の光出力とする明期間と、明期間よりも光出力がより暗い暗期間が交互に繰り返すように制御回路が発光ダイオードの光出力を制御し、制御回路は、停電時における発光ダイオードの光出力の最大値を、通常時における発光ダイオードの光出力よりも低下させ、且つ、通電中の異常発生時における発光ダイオードの光出力の最大値を、通常時における発光ダイオードの光出力と同等か若しくはそれ以上とすることを特徴とする。
【０００８】
請求項２の発明は、請求項１の発明において、異常発報信号は、外部の自動火災報知機から入力される火災報知信号であることを特徴とする。
【０００９】
請求項３の発明は、請求項１の発明において、商用電源の停電を検知すると停電検知信号を発生する停電検知回路を備え、異常発報信号が、停電検知回路から制御回路に入力される停電検知信号であることを特徴とする。
【発明の効果】
【００１２】
請求項１の発明によれば、制御回路は、異常発報信号が入力されると、発光ダイオードの光出力を周期的に変化させるように点灯回路の出力を制御しているので、発光ダイオードの光が導光板を介して照射される表示パネルの表示面輝度を周期的に変化させることで、非常用照明装置に避難者を注目させて、非常用照明装置の位置をさらに容易に知らしめることができる。しかも、表示パネルに光を照射する光源として、入力電流に応じて光出力を容易に変化させることができる発光ダイオードを用いることによって、光出力を周期的に変化させるための光源を別途用意する必要が無いから、非常用照明装置のコストダウンを図ることができるという効果がある。さらに、異常発生時には制御回路が発光ダイオードの光出力を周期的に変化させているので、発光ダイオードを一定の光出力で点灯させる場合に比べて消費電力を低減することが可能になり、停電時に二次電池を電源として点灯させる場合の点灯時間を延ばすことができる。また二次電池による点灯時間を同程度とした場合は電池容量が小さい二次電池を使用することができ、さらなるコストダウンを図ることができる。しかも、制御回路が、停電時における発光ダイオードの光出力の最大値を、通常時における発光ダイオードの光出力よりも低下させることによって、発光ダイオードを通常時と同等の光出力で点灯させる場合に比べて消費電力を低減できるから、二次電池による点灯時間を延ばすことができ、また二次電池による点灯時間を同程度とした場合は電池容量が小さい二次電池を使用することで、さらなるコストダウンを図ることができるという効果がある。さらに、制御回路が、通電中の異常発生時における発光ダイオードの光出力の最大値を、通常時における発光ダイオードの光出力と同等か若しくはそれ以上とすることで、非常用照明装置に避難者を注目させて、非常用照明装置の位置をさらに容易に知らしめることができる。しかも、制御回路は、異常発生時において発光ダイオードの光出力を周期的に変化させているので、光出力の最大値を、通常時における発光ダイオードの光出力と同等か若しくはそれ以上とした場合でも、全体として発光ダイオードの消費電力を通常時より低減することが可能であり、停電時に二次電池を電源として点灯させる場合の点灯時間を延ばすことができる。また二次電池による点灯時間を同程度とした場合は電池容量が小さい二次電池を使用することで、さらなるコストダウンを図ることができるという効果がある。
【００１３】
請求項２の発明によれば、自動火災報知機からの火災報知信号を受けて、制御回路が点灯回路の出力を制御し、発光ダイオードの光出力を周期的に変化させることによって、火災の発生を報知することができる。
【００１４】
請求項３の発明によれば、停電検知回路からの停電検知信号を受けて、制御回路が点灯回路の出力を制御し、発光ダイオードの光出力を周期的に変化させることによって、停電の発生を報知することができる。
【発明を実施するための最良の形態】
【００１７】
以下に本発明の実施の形態を図面に基づいて説明する。本実施形態の非常用照明装置Ａは、公共の施設において、火災などの非常時に避難経路を表示するために使用されるものであり、本実施形態においては最終避難口の近くに設置されるものを例に説明を行う。この非常用照明装置Ａの回路ブロック図を図１に、分解斜視図を図２にそれぞれ示す。
【００１８】
この非常用照明装置Ａは、図１に示すように複数個の発光ダイオードからなるＬＥＤブロック１と、ＬＥＤブロック１を点灯させる誘導灯点灯ブロック２と、停電時に誘導灯点灯ブロック２に電力を供給する二次電池３とを主要な構成として備えている。
【００１９】
誘導灯点灯ブロック２は、商用電源ＡＣからの電力供給を受けて二次電池３を充電するとともに、商用電源ＡＣの停電時に二次電池３に充電された電荷を放出させることによって後述の点灯回路５に電力を供給する充放電回路４と、通電時は商用電源ＡＣから電力供給を受けてＬＥＤブロック１に点灯電力を供給するとともに、停電時は二次電池３から電力供給を受けてＬＥＤブロック１に点灯電力を供給する点灯回路５と、商用電源ＡＣの電源電圧と所定の閾値との高低を比較することによって商用電源ＡＣの停電を検知すると停電検知信号を発生する停電検知回路６と、火災発生時に外部の自動火災報知機Ｂから火災報知信号が入力される火報信号入力回路７と、異常の発生を報知する異常発報信号（本実施形態では停電検知回路６から入力される停電検知信号、および、火報信号入力回路７を介して入力される火災報知信号からなり）が入力されていない通常時にはＬＥＤブロック１を一定の光出力で点灯させるように点灯回路５の出力を制御するとともに、異常発報信号が入力されるとＬＥＤブロック１の光出力を周期的に変化させるように点灯回路５の出力を制御する制御回路８とを備えている。
【００２０】
また図２は非常用照明装置Ａの分解斜視図であり、前面側が開口した扁平な矩形箱状のボディ１１と、前面が略矩形状に形成されてボディ１１前面の開口部に被着されるパネルケース１２とで構成される器具本体の内部に、商用電源ＡＣの給電線（図示せず）が接続される端子台２１と、二次電池３と、誘導灯点灯ブロック２の回路が形成されたプリント配線板（図示せず）を内部に収めたケース１３とが納装されている。
【００２１】
ここで、パネルケース１２の裏側面の左右両側部には、略Ｌ字形であって先端が左右方向の外側にそれぞれ突出する各一対の係合爪１４が上下に突設されるとともに、ボディ１１の左右両側壁の内側面に各係合爪１４が係合する係合リブ１５が突設されている。而して、パネルケース１２の上下左右の向きを合わせて、パネルケース１２を前方からボディ１１の開口部に近付け、パネルケース１２の後面をボディ１１の開口部に当接させた状態でパネルケース１２を下方にスライド移動させると、係合爪１４が対応する係合リブ１５と係合することによって、パネルケース１２がボディ１１の前面に取着される。
【００２２】
ボディ１１の上側壁および後壁にはそれぞれボディ１１を施工面に取り付けるための取付ねじ（図示せず）を挿通する挿通孔１１ａ，１１ｂが穿設されており、挿通孔１１ａ又は挿通孔１１ｂに挿通された取付ねじを天井材又は壁材に螺入することによってボディ１１が施工面（天井面又は壁面）に固定されるようになっている。なおボディ１１の上側壁および後壁にはノックアウト部１１ｃが設けられ、ノックアウト部１１ｃを孔開け加工して形成された電線挿通孔に、天井材又は壁材の裏面側に予め先行配線された商用電源ＡＣの給電線を挿通させることで、給電線が器具本体の内部に導入され、器具本体内部に収納された端子台２１に接続することができる。
【００２３】
また、パネルケース１２の上側縁には、パネルケース１２の下側部位よりも前方への突出量が大きい張出部１６が一体に突出形成されており、張出部１６の下側面にはＬＥＤブロック１を構成する複数個の発光ダイオード１ａがパネルケース１２の上側辺に沿って一列に配列されている。パネルケース１２の裏面からは先端にコネクタ１７が結線された電線１８が導出されており、このコネクタ１７をケース１３に設けたコネクタ（図示せず）に接続することによって、パネルケース１２に配設された複数個の発光ダイオード１ａが誘導灯点灯ブロック２に電気的に接続される。
【００２４】
また、パネルケース１２の前面には導光板１９と表示パネル２０とが前後方向に重ねた状態（表示パネル２０が前面側）で取り付けられる。導光板１９および表示パネル２０は、平面形状が略同じ矩形板状であって、上下方向および左右方向の各寸法が略同じ寸法に形成されており、導光板１９および表示パネル２０の上側面を張出部１６の下面に当接させた状態でパネルケース１２に取り付けられている。なお取付状態においては導光板１９の上側面が張出部１６の下面に配列された発光ダイオード１ａに対向配置されている。
【００２５】
表示パネル２０は透光性材料（例えばアクリル樹脂）により矩形板状に形成され、前面には避難方向を示す図案が例えば白色と緑色の２色で表示されている。一方、導光板１９は透明なアクリル樹脂により矩形板状に形成され、表示パネル２０の背面に重ねて配置されている。ここで、導光板１９は、上側縁に沿って対向配置された複数個の発光ダイオード１ａからの光を導光板１９内での全反射によって導光板１９の下側縁に導きながら、導光板１９の後面に設けた光拡散部（図示せず）に入射させ、光拡散部で拡散した光のうち、前方に向かう光を前面から出射させて表示パネル２０に入射させるものであり、表示パネル２０の前面（表示面）全体に均一な光を照射するようになっている。
【００２６】
次に本実施形態の非常用照明装置Ａの動作を説明する。制御回路８は、停電検知回路６からの停電検知信号や火報信号入力回路７からの火災報知信号が何れも入力されていない通常時には、ＬＥＤブロック１を一定の光出力で点灯させるように点灯回路５の出力を制御しており、各発光ダイオード１ａの発光が導光板１９により導光されて、表示パネル２０が略一定の表示面輝度で発光する。
【００２７】
一方、制御回路８は、停電検知回路６から停電検知信号が入力されるか、或いは、火報信号入力回路７を介して火災報知信号が入力されると、ＬＥＤブロック１の光出力を周期的に変化させるように点灯回路５の出力を制御する。
【００２８】
図３（ａ）は火災報知信号が入力される時刻ｔ１の前後における表示パネル２０の表示面輝度の変化パターンを示しており、停電や火災などの異常が発生していない通常時（時刻ｔ１以前）は、制御回路８が、ＬＥＤブロック１の光出力を略一定に制御し、表示パネル２０を略一定の表示面輝度Ｌ１で発光させる。一方、火報信号入力回路７を介して制御回路８に火災報知信号が入力された異常時（時刻ｔ１以後）は、制御回路８が、ＬＥＤブロック１の光出力を相対的に高い輝度とする明期間と、相対的に低い輝度とする暗期間を所定の周期で交互に繰り返すように点灯回路５の出力を制御することで、表示パネル２０の表示面輝度がＬ１の明期間とＬ２の暗期間（Ｌ１＞Ｌ２）を周期的に繰り返させており、表示パネル２０の表示面を明滅させることによって人の目を引きつけやすくでき（誘目性が向上し）、火災発生時で煙が充満している状態でも非常用照明装置Ａの位置（すなわち最終避難口の位置）をより容易に知らしめることができる。
【００２９】
また図３（ｂ）は火災報知信号が入力される時刻ｔ２の前後、および、停電検知回路６が停電を検知する時刻ｔ３の前後における表示パネル２０の表示面輝度の変化パターンを示しており、停電や火災などの異常が発生していない通常時（時刻ｔ２以前）は、制御回路８が、ＬＥＤブロック１の光出力を略一定に制御し、表示パネル２０を略一定の発光面輝度Ｌ１で点灯させている。一方、火報信号入力回路７を介して制御回路８に火災報知信号が入力された後は（時刻ｔ２〜時刻ｔ３）、制御回路８が、ＬＥＤブロック１の光出力を相対的に高い輝度とする明期間と、相対的に低い輝度とする暗期間を所定の周期で交互に繰り返すように点灯回路５の出力を制御することによって、表示パネル２０の表示面輝度がＬ１の明期間とＬ２の暗期間（Ｌ１＞Ｌ２）を周期的に繰り返させており、表示パネル２０の表示面を明滅させることによって人の目を引きつけやすくでき（誘目性が向上し）、火災発生時で煙が充満している状態でも最終避難口の位置をより容易に知らしめることができる。
【００３０】
また火災発生後に停電が発生した場合、時刻ｔ３において停電検知回路６が停電を検知して、停電検知信号が制御回路８に入力されると、制御回路８は、ＬＥＤブロック１の光出力を通常時よりも低い所定の輝度とする明期間と、相対的により低い輝度とする暗期間を所定の周期で交互に繰り返すように点灯回路５の出力を制御することで、表示パネル２０の表示面輝度がＬ３の期間とＬ２の期間（Ｌ２＜Ｌ３＜Ｌ１）を周期的に繰り返させて、表示パネル２０の表示面を明滅させており、この場合にも人の目を引きつけやすくなり（誘目性が向上し）、火災発生時で煙が充満している状態でも最終避難口に位置をより容易に知らしめることができる。
【００３１】
以上説明したように本実施形態の非常用照明装置Ａでは、火災や停電などの異常が発生していない場合、制御回路８が、ＬＥＤブロック１を一定の光出力で点灯させるように、点灯回路５の出力を制御するとともに、火災や停電などの異常が発生した場合には、制御回路８が、ＬＥＤブロック１を所定の周期で明滅させるように点灯回路５の出力を制御しており、異常発生時には表示パネル２０の表示面を周期的に明滅させているので、表示パネル２０の表示面の誘目性を向上させ、最終避難口に位置をより容易に知らしめることができる。ここにおいて、本実施形態では表示パネル２０に光を照射する光源として、入力電流に応じて光出力を容易に変化させることができる発光ダイオード１ａを用いているので、光出力を周期的に変化させるための光源を別途用意する必要が無く、非常用照明装置Ａのコストダウンを図ることができる。
【００３２】
また火災発生時（通電中）にＬＥＤブロック１を明滅させる際に、制御回路８は、明期間におけるＬＥＤブロック１の光出力を通常時の光出力と同等の光出力に制御しているが、この場合でもＬＥＤブロック１の光出力を周期的に変化させ、通常時の光出力よりも暗い光出力で点灯する暗期間を設けているので、全体としてＬＥＤブロック１の消費電力を通常時より低減することができる。なお本実施形態では火災発生時（通電中）にＬＥＤブロック１を明滅させる際に、明期間におけるＬＥＤブロック１の光出力を通常時の光出力と同程度に制御しているが、明期間における光出力を通常時の光出力以上としても良く、光出力のピークを通常時より明るくしながらも、全体としてはＬＥＤブロック１の電力消費量を低減することができる。
【００３３】
また本実施形態の非常用照明装置Ａでは、停電時にＬＥＤブロック１を明滅させる際に、明期間におけるＬＥＤブロック１の光出力を通常時の光出力よりも低下させている。商用電源ＡＣの停電時には、充放電回路４が二次電池３に充電された電荷を放電させることによって、二次電池３を電源として点灯回路５がＬＥＤブロック１に点灯電力を供給するのであるが、停電時には通常時に比べて明期間の発光面輝度を低下させているので、ＬＥＤブロック１を通常時と同等の光出力で点灯させる場合に比べて消費電力を低減することができる。したがって、二次電池３による点灯時間を延ばすことができ、また二次電池３による点灯時間を同程度とした場合は電池容量が小さい二次電池３を使用することができるから、さらなるコストダウンを図ることができる。なお停電時にＬＥＤブロック１を明滅させる際のＬＥＤブロック１の光出力の最大値を、通常時におけるＬＥＤブロック１の光出力と同等若しくはそれ以上に設定しても良く、その場合でもＬＥＤブロック１の光出力を周期的に変化させることで、全体としてＬＥＤブロック１の消費電力を低減することができる。
【００３４】
また制御回路８では、火災時と停電時とでＬＥＤブロック１を明滅させる際の光出力の変化パターン（すなわち明期間の輝度）を異ならせているので、変化パターンの違いから異常の内容（火災か停電かの別）を判別することができる。ここにおいて、本実施形態では、火災時と停電時とでＬＥＤブロック１を明滅させる際の明期間の輝度を異ならせているが、明滅の周期を異ならせるようにしても良い。
【００３５】
また本実施形態では火災や停電などの異常が発生した際に、ＬＥＤブロック１を相対的に明るい輝度で点灯させる明期間と、相対的に暗い輝度で点灯する暗期間とを所定の周期で繰り返すことによってＬＥＤブロック１を明滅させているが、ＬＥＤブロック１を所定の輝度で点灯させる点灯期間とＬＥＤブロック１を消灯させる消灯期間とを所定の周期で交互に繰り返すことで、ＬＥＤブロック１を点滅させるようにしても良い。
【図面の簡単な説明】
【００３６】
【図１】本実施形態の非常用照明装置の概略構成を示すブロック図である。
【図２】同上の分解斜視図である。
【図３】（ａ）（ｂ）は同上の動作を説明する説明図である。
【図４】従来の非常用照明装置の概略構成を示すブロック図である。
【符号の説明】
【００３７】
Ａ  非常用照明装置
１  ＬＥＤブロック
１ａ  発光ダイオード
２  誘導灯点灯ブロック
３  二次電池
４  充放電回路（充電回路）
５  点灯回路
８  制御回路
１９  導光板
２０  表示パネル
ＡＣ  商用電源
【図１】
0005330705.tif 000002
【図２】
0005330705.tif 000003
【図３】
0005330705.tif 000004
【図４】
0005330705.tif 000005